(57)【要約】      （修正有）【課題】帯体の交換性、及び帯体巻取装置の可搬性を向上させた帯体巻取装置を提供する。【解決手段】巻取ドラム５を収納する筒状のケーシング７の側面に帯体３が出入り可能な開口部７Ａを設けるとともに、ケーシング７は、その中心軸線と直交する断面形状が楕円状の閉曲線を描く筒状とし、さらに、開口部７Ａを楕円状の閉曲線のうち当該閉曲線の長軸と対向する部位に設ける。これにより、ケーシング７を大型にすることなく、開口部７Ａを大きくすることができるので、帯体３の交換性、及び帯体巻取装置１の可搬性を向上させることができる。【選択図】図３
2015180580.tif 000002
【特許請求の範囲】
【請求項１】
帯状の帯体と、
前記帯体を巻き取る巻取ドラムであって、その巻き取り面に前記帯体の長手方向一端側が着脱自在に組み付けられた巻取ドラムと、
前記帯体を巻き取る向きに前記巻取ドラムを回転させる力を発生するバネと、
前記巻取ドラムの回転を禁止するストッパ機構と、
前記巻取ドラムを収納する筒状のケーシングであって、その側面に前記帯体が出入り可能な開口部を有するケーシングとを備え、
前記ケーシングは、その中心軸線と直交する断面形状が楕円状の閉曲線を描く筒状であり、
さらに、前記開口部は、前記楕円状の閉曲線のうち当該閉曲線の長軸と対向する部位に設けられていることを特徴とする帯体巻取装置。
【請求項２】
ピン状の係止棒と、
前記帯体の一端側に設けられ、前記係止棒が幅方向から着脱自在に挿入された環状部と、
前記巻取ドラムの巻き取り面から隙間を介して離隔した位置に設けられた被係止棒であって、前記巻取ドラムの回転中心軸線と平行に延びて両端が前記巻取ドラムに一体化された被係止棒と備え、
前記帯体が前記隙間を貫通した状態で前記係止棒が前記被係止棒に係止されていることを特徴とする請求項１に記載の帯体巻取装置。
【請求項３】
前記開口部は、前記ケーシングの中心軸線を中心として１２０度以上の範囲で開口していることを特徴とする請求項１又は２に記載の帯体巻取装置。
【請求項４】
前記帯体の長手方向他端に設けられ、前記ケーシングの中心軸線と平行に延びる係止プレートと、
前記開口部の外縁部に設けられた一対の係止部であって、前記帯体が巻き取りの向きに移動することを禁止した状態で前記係止プレートの延び方向両端を着脱自在に係止する係止部と
を備えることを特徴とする請求項１ないし３のいずれか１項に記載の帯体巻取装置。
【発明の詳細な説明】
【技術分野】
【０００１】
本発明は、シートやベルト等の帯体を巻き取る帯体巻取装置に関する。
【背景技術】
【０００２】
帯体巻取装置とは、例えば、特許文献１に記載されているように、シート、ベルト又はリボン等の帯体、及びこの帯体を巻き取る巻取ドラム等からなるものである。
【先行技術文献】
【特許文献】
【０００３】
【特許文献１】特開２０００−３１０９６２号公報号公報
【発明の概要】
【発明が解決しようとする課題】
【０００４】
しかし、特許文献１に記載の帯体巻取装置は、帯体の交換性、及び帯体巻取装置の可搬性等が考慮されておらず、利便性が低い等の問題がある。
本発明は、上記点に鑑み、帯体の交換性、及び帯体巻取装置の可搬性を向上させた帯体巻取装置を提供することを目的とする。
【課題を解決するための手段】
【０００５】
本発明は、上記目的を達成するために、帯状の帯体（３）と、帯体（３）を巻き取る巻取ドラムであって、その巻き取り面（５Ａ）に帯体（３）の長手方向一端側が着脱自在に組み付けられた巻取ドラム（５）と、帯体（３）を巻き取る向きに巻取ドラム（５）を回転させる力を発生するバネ（９）と、巻取ドラム（５）の回転を禁止するストッパ機構（１１）と、巻取ドラム（５）を収納する筒状のケーシングであって、その側面に帯体（３）が出入り可能な開口部（７Ａ）を有するケーシング（７）とを備え、ケーシング（７）は、その中心軸線と直交する断面形状が楕円状の閉曲線を描く筒状であり、さらに、開口部（７Ａ）は、楕円状の閉曲線のうち当該閉曲線の長軸（Ｌ２）と対向する部位に設けられていることを特徴としている。これにより、本発明では、以下の効果を得る。
【０００６】
すなわち、
（１）本発明では、巻取ドラム（５）がケーシング（７）に収納されているので、可搬性を向上させることができる。
【０００７】
（２）本発明では、開口部（７Ａ）が長軸（Ｌ２）と対向する部位に設けられているので、開口部（７Ａ）の開口面積を大きくできる。
したがって、帯体（３）の引き出し可能な方向を拡大することが可能となるので、利用者は帯体（３）を様々の方向に向けて引き出すことができ、帯体巻取装置の使い勝手を向上させることができる。
【０００８】
なお、仮に、開口部（７Ａ）が楕円状の閉曲線のうち短軸（Ｌ３）と対向する部位に設けられていると、長軸（Ｌ２）と対向する部位に開口部（７Ａ）が設けられた場合に比べて、開口部（７Ａ）の開口面積が小さくならざるを得ない。
【０００９】
（３）本発明では、ケーシング（７）の断面形状が楕円状であるので、巻取ドラム（５）を収納するために必要な体積を確保しながら、ケーシング（７）の小型化を図ることが可能となる。延いては、可搬性を向上させることができる。
【００１０】
（４）本発明では、巻取ドラム（５）の巻き取り面（５Ａ）に帯体（３）が組み付けられ、かつ、開口部（７Ａ）の開口面積が大きいので、帯体（３）の着脱作業を容易に行うことが可能となる。
【００１１】
さらに、帯体（３）の着脱作業時に、ストッパ機構（１１）にて巻取ドラム（５）の回転を禁止することにより、帯体（３）と巻取ドラム（５）とが組み付けられた部位を開口部（７Ａ）に位置させることができるので、帯体（３）の着脱作業性を向上させることができる。
【００１２】
（５）本発明では、ストッパ機構（１１）にて巻取ドラム（５）の回転を禁止できるので、風や衝撃等により、帯体（３）が意図せずして巻取ドラム（５）に巻き取られてしまうことを未然に防止でき得る。したがって、帯体巻取装置の使い勝手を向上させることができる。
【００１３】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１４】
【図１】（ａ）及び（ｂ）は本発明の実施形態に係る帯体巻取装置１の斜視図である。
【図２】（ａ）及び（ｂ）は本発明の実施形態に係る帯体巻取装置１の中央断面図である。
【図３】（ａ）及び（ｂ）は本発明の実施形態に係る帯体巻取装置１の一部断面斜視図である。
【図４】（ａ）〜（ｃ）は本発明の実施形態に係る巻取ドラム５の図である。
【図５】（ａ）及び（ｂ）は本発明の実施形態に係る帯体巻取装置１の一部を断面とした図である。
【図６】図７のＡ−Ａ断面図である。
【図７】本発明の実施形態に係る帯体巻取装置１の正面図である。
【図８】（ａ）は図７のＢ−Ｂ断面図である。（ｂ）は図７のＣ−Ｃ断面図である。
【図９】本発明の実施形態に係る帯体巻取装置１において帯体３を引き出した図である。
【図１０】本発明の実施形態に係る帯体巻取装置１の裏面図である。
【図１１】本発明の実施形態に係る帯体巻取装置１の使用例を示す図である。
【発明を実施するための形態】
【００１５】
以下に説明する「発明の実施形態」は実施形態の一例を示すものである。つまり、特許請求の範囲に記載された発明特定事項等は、下記の実施形態に示された具体的手段や構造等に限定されるものではない。
【００１６】
本実施形態は、本発明に係る帯体巻取装置を「立ち入り禁止区域」や「整列領域の区画」等を縄張りすべく、当該区域を仕切る際に用いられるシートリールに適用したものである。各図に付された方向を示す矢印等は、各図相互の関係を理解し易くするために記載したものである。本発明は、各図に付された方向に限定されるものではない。
【００１７】
少なくとも符号を付して説明した部材又は部位は、「複数」や「２つ以上」等の断りをした場合を除き、少なくとも１つ設けられている。以下、本発明の実施形態を図面と共に説明する。
【００１８】
（第１実施形態）
１．帯体巻取装置の構成
１．１  主要な構成部
帯体巻取装置１は、図１（ａ）に示すように、シート等の帯状に形成された帯体３を収納するとともに、図１（ｂ）に示すように、収納された帯体３を自在に引出可能な巻取装置である。
【００１９】
帯体巻取装置１は、図２（ａ）に示すように、巻取ドラム５及びケーシング７等を有している。巻取ドラム５は帯体３を巻き取るための部材である。そして、帯体３は、図３（ａ）に示すように、その長手方向一端側が巻取ドラム５の巻き取り面５Ａに着脱自在に組み付けられている。
【００２０】
巻き取り面５Ａとは、巻取ドラム５のうち巻き取られた帯体３の帯状平面に接触する部位である。なお、本実施形態に係る巻取ドラム５の巻き取り面５Ａは、図４（ａ）に示すように、帯体３の接触する部位は「円周面（円筒面）」に構成されていない。しかし、帯体３の接触する部位を連ねた仮想曲面は円周面となる。
【００２１】
つまり、巻取ドラム５の巻き取り面５Ａとは、帯体３と接触する部位が円周面状に構成されている場合には当該円周面をいう。帯体３と接触する部位が円周面状に構成されていない場合には、帯体３の接触する部位を連ねた仮想の円周面を巻き取り面５Ａという。
【００２２】
図４（ｂ）に示すように、巻き取り面５Ａには被係止棒５Ｂが設けられている。被係止棒５Ｂは、巻き取り面５Ａから隙間５Ｃを介して離隔した位置に設けられ、かつ、巻取ドラム５の回転中心軸線Ｌ１と平行に延びて両端が巻取ドラム５に一体化されている。
【００２３】
なお、本実施形態に係る被係止棒５Ｂは、図４（ｃ）に示すように、帯板状に構成されているとともに、隙間５Ｃと反対側の帯状の面が、上記「仮想の円周面」と一致するような曲面で構成されている。
【００２４】
図５（ａ）に示すように、帯体３の長手方向一端側には環状部３Ａが設けられている。環状部３Ａは幅方向に延びたトンネル穴状の部位である。環状部３Ａ内には、ピン３状の係止棒３Ｂが挿入されている。係止棒３Ｂは、図５（ｂ）に示すように、幅方向から環状部３Ａに着脱自在に挿入されている。なお、幅方向とは、帯体３の長手方向と直交する方向をいう。
【００２５】
そして、図５（ａ）に示すように、帯体３が隙間５Ｃを貫通した状態で係止棒３Ｂが被係止棒５Ｂに係止されることにより、帯体３の長手方向一端側が巻き取り面５Ａに着脱自在に組み付けられる。なお、係止棒３Ｂの直径寸法は、隙間５Ｃの隙間寸法より大きい寸法である。
【００２６】
ケーシング７は、図２（ｂ）に示すように、巻取ドラム５を収納する筒状の部材であって、その中心軸線Ｌ１と直交する断面形状が、図６に示すように、楕円状の閉曲線を描く筒状の部材である。
【００２７】
ケーシング７の側面には、図３（ｂ）に示すように、帯体３が出入り可能な開口部７Ａが設けられている。開口部７Ａは、図６に示すように、楕円状の閉曲線のうち当該閉曲線の長軸Ｌ２と対向する部位に設けられている。具体的には、開口部７Ａは、中心軸線Ｌ１を中心とする中心角がθとなる範囲で開口している。
【００２８】
中心角θ（以下、開口角度θともいう。）の大きさは１２０度以上が望ましく、本実施形態では約１３３度である。なお、開口部７Ａの開口角度θは、上記閉曲線の短軸Ｌ３に対して対称とすることが望ましい。そして、開口部７Ａは、図７に示すように、中心軸線Ｌ１方向全域、つまり帯体３の幅方向全域において上記の開口角度θで開口している。
【００２９】
１．２  その他の構成部
図２（ｂ）に示すように、中心軸線方向Ｌ１の一端側には、巻取ドラム５を回転させる力を発生するバネ９が配設されている。バネ９は帯体３を巻き取る向きの力を発生する。具体的には、図８（ａ）に示すように、バネ９は、板ばねが渦巻き状に巻かれたものであって、その一端側９Ａが巻取ドラム５の回転軸５Ｄに引っ掛けられて係止され、他端側９Ｂがケーシング７に係止されている。
【００３０】
バネ９の一端側９Ａが回転軸５Ｄに係止されているため、常に、バネ９は巻取ドラム５に力を作用させている。そこで、本実施形態に係る帯体巻取装置１では、図８（ｂ）に示すように、中心軸線方向Ｌ１の他端側にストッパ機構１１が設けられている。
【００３１】
ストッパ機構１１は、巻取ドラム５の回転を禁止するための機構であって、図３（ａ）に示すように、突プレート１１Ｂ及びストッパ部１１Ｃ等を有している。突プレート１１Ｂは、巻取ドラム５と一体化された円板状の部材であって、複数の突起部１１Ａを有している。複数の突起部１１Ａは、突プレート１１Ｂの外周側において、板面から突出して円周状に並んでいる。
【００３２】
ストッパ部１１Ｃは中心軸線方向Ｌ１に変位可能である。具体的には、ストッパ部１１Ｃは、突起部１１Ａと係止した状態（図２（ｂ）参照）と突起部１１Ａから離間した状態（図２（ａ）参照）との間で変位可能である。
【００３３】
そして、図３（ａ）に示すように、ケーシング７の外壁面には操作部１１Ｄが設けられている。当該操作部１１Ｄは、ストッパ部１１Ｃを変位させる際に利用者により操作される。なお、操作部１１Ｄは、ケーシング７の外壁面のうち短軸方向Ｌ３の端部側であって、帯体３の巻き取り方向前進側（図７の左側）である。
【００３４】
なお、本実施形態では、操作部１１Ｄが下方側に変位した状態（図３（ｂ）参照）では突起部１１Ａとストッパ部１１Ｃとが係止した状態となるので、巻取ドラム５はいずれの向きにも回転できない。操作部１１Ｄが上方側に変位した状態（図３（ａ）参照）では突起部１１Ａとストッパ部１１Ｃとが離間した状態となるので、巻取ドラム５はいずれの向きにでも回転できる。
【００３５】
図９に示すように、帯体３の長手方向他端には係止プレート１３が設けられている。係止プレート１３は、ケーシング７の中心軸線Ｌ１と平行に延びる帯板状の部材であって、その延び方向両端に係止突起１３Ａが設けられている。
【００３６】
ケーシング７のうち開口部７Ａの外縁部には、図７に示すように、一対の係止部１５が設けられている。一対の係止部１５は、係止突起１３Ａが着脱自在に係止可能な部位であって、帯体３が巻き取りの向きに移動することを禁止した状態で係止プレート１３を係止する。
【００３７】
つまり、係止プレート１３が一対の係止部１５に係止された状態では、係止プレート１３が巻取ドラム５側に移動することが禁止されるが、帯体３が引き出されて係止プレート１３が巻取ドラム５から離間することは許容される。
【００３８】
なお、ケーシング７の外壁のうち長軸Ｌ２を挟んで開口部７Ａと反対側には、図１０に示すように、永久磁石１７が埋設されている。永久磁石１７は、帯体巻取装置１を金属製の柱や壁部等に仮組み付けるするためのものである。
【００３９】
２．本実施形態に係る帯体巻取装置の特徴
本実施形態では、巻取ドラム５がケーシング７に収納されているので、可搬性を向上させることができる。
【００４０】
本実施形態では、開口部７Ａが長軸Ｌ２と対向する部位に設けられているので、開口部７Ａの開口面積を大きくできる。
したがって、帯体３の引き出し可能な方向を拡大することが可能となるので、利用者は帯体３を様々の方向に向けて引き出すことができ、帯体巻取装置の使い勝手を向上させることができる。
【００４１】
本実施形態では、ケーシング７の断面形状が楕円状であるので、巻取ドラム５を収納するために必要な体積を確保しながら、ケーシング７の小型化を図ることが可能となる。延いては、可搬性を向上させることができる。
【００４２】
本実施形態では、巻取ドラム５の巻き取り面５Ａに帯体３が組み付けられ、かつ、開口部７Ａの開口面積が大きいので、図５（ｂ）に示すように、帯体３の着脱作業を容易に行うことが可能となる。
【００４３】
さらに、帯体３の着脱作業時に、ストッパ機構１１にて巻取ドラム５の回転を禁止することにより、帯体３と巻取ドラム５とが組み付けられた部位を開口部７Ａに位置させることができるので、帯体３の着脱作業性を向上させることができる。
【００４４】
本実施形態では、ストッパ機構１１にて巻取ドラム５の回転を禁止できるので、風や衝撃等により、帯体３が意図せずして巻取ドラム５に巻き取られてしまうことを未然に防止でき得る。したがって、帯体巻取装置の使い勝手を向上させることができる。
【００４５】
本実施形態では、帯体３の長手方向他端に係止プレート１３が設けられ、開口部７Ａの外縁部に係止部１５が設けられていることを特徴としている。
これにより、本実施形態では、利用者は、帯体３が巻取ドラム５に巻き取られたときには、係止プレート１３を係止部１５に引っ掛けるように係止することにより、図７に示すように、帯体３が過度に巻取ドラム５に巻き取られることを防止できる。
【００４６】
さらに、利用者は、図１１に示すように、他の帯体巻取装置の係止プレート１３を当該帯体巻取装置の係止部１５に係止することにより、複数の帯体の連結することができる。これにより、利用者は、帯体３を過度に長くすることなく、大きな範囲を仕切ることができるので、帯体３の巻き取り性の悪化及び帯体巻取装置の大型化を抑制しつつ、大きな範囲を仕切ることが可能となる。
【００４７】
（その他の実施形態）
上述の実施形態では、係止棒３Ｂと被係止棒５Ｂとを係止させることにより、帯体３を巻取ドラム５に着脱自在に組み付けたが、本発明はこれに限定されるものではない。
【００４８】
上述の実施形態では、中心軸線方向一端側にバネ９が設けられ、中心軸線方向他端側にストッパ機構１１が設けられていたが、本発明はこれに限定されるものではなく、例えば、中心軸線方向一端側にバネ９及びストッパ機構１１を設け、中心軸線方向他端側に巻取ドラム５の回転速度が所定速度以上となることを抑制する遠心制動機構を設けてもよい。
【００４９】
上述の実施形態に係るバネ９は、耐腐食性に優れたステンレス製であったが、本発明はこれに限定されるものではなく、例えば、バネ鋼鋼材等のステンレスより耐食性が劣る金属を採用してもよい。
【００５０】
なお、バネ鋼鋼材等にてバネ９を構成した場合には、バネ９を収納する空間（以下、収納室という。）に水が浸入することを防ぐ必要がある。つまり、収納室の壁を貫通する巻取ドラム５の回転軸５Ｄと軸穴との隙間を直接的又は間接的に閉塞するシール構造を設ける必要がある。
【００５１】
シール構造は、例えば、Ｏリング等の弾性部材を用いたシール構造、迷路構造等のメカニカルシール構造、又はそれら２種類のシール構造を組み合わせたシール構造等を採用することが望ましい。なお、メカニカルシール構造は、例えば、回転軸５Ｄと平行な方向に蛇行する迷路構造であって、回転軸５Ｄから離間するほどその蛇行幅が拡大する迷路構造が望ましい。
【００５２】
また、メカニカルシール構造とＯリングとを組み合わせる場合には、回転軸５Ｄ側にＯリングを配設し、当該Ｏリングの外側にメカニカルシール構造を設けることが望ましい。
また、本発明は、特許請求の範囲に記載された発明の趣旨に合致するものであればよく、上述の実施形態に限定されるものではない。
【符号の説明】
【００５３】
１… 帯体巻取装置  ３… 帯体  ３Ａ… 環状部  ３Ｂ… 係止棒
５… 巻取ドラム  ５Ａ… 巻き取り面  ５Ｂ… 被係止棒  ５Ｃ… 隙間
５Ｄ… 回転軸  ７… ケーシング  ７Ａ… 開口部  ９… バネ
１１… ストッパ機構  １１Ａ… 突起部  １１Ｂ… 突プレート
１１Ｃ… ストッパ部  １１Ｄ… 操作部  １３… 係止プレート
１３Ａ… 係止突起  １５… 係止部  １７… 永久磁石
【図１】
2015180580.tif 000003
【図２】
2015180580.tif 000004
【図３】
2015180580.tif 000005
【図４】
2015180580.tif 000006
【図５】
2015180580.tif 000007
【図６】
2015180580.tif 000008
【図７】
2015180580.tif 000009
【図８】
2015180580.tif 000010
【図９】
2015180580.tif 000011
【図１０】
2015180580.tif 000012
【図１１】
2015180580.tif 000013